(57)【特許請求の範囲】
【請求項１】
携帯端末装置の表示画面に表示された画像を表示する画像表示部と、
自画像表示装置の表示画面上におけるタッチ操作を検出するタッチ操作検出部と、
当該タッチ操作に基づいて、所定の通信方式に準拠したカーソル移動指示信号及びクリック指示信号を生成するカーソル操作情報生成部と、
前記カーソル移動指示信号及び前記クリック指示信号を、前記所定の通信方式に従って送信するカーソル操作情報送信部と、
自画像表示装置の前記表示画面上において前記タッチ操作で指定された位置と、前記携帯端末装置の前記表示画面上において前記カーソル移動指示信号に基づいて移動させたカーソルの位置と、をそれぞれ自画像表示装置および前記携帯端末装置が表示する画像を基準にして相対的に同一の位置とするための校正用情報を取得する校正部と、
を備え、
前記校正部は、
前記カーソル操作情報送信部を介して、前記カーソル移動指示信号の送信、及び前記カーソル移動指示信号の送信に続く前記クリック指示信号の送信を複数回繰り返し、当該クリック指示信号に対する前記携帯端末装置からの所定のレスポンス信号の有無に基づいて、前記校正用情報を取得する
画像表示装置。
【請求項２】
前記カーソル移動指示信号は、
移動量と移動速度の二つの情報の組み合わせであり、
前記校正部は、
前記携帯端末装置において定められた固有の情報であって、前記移動速度に応じて適用される前記移動量への掛け率を定めた移動量掛け率情報を特定することで前記校正用情報を取得する
請求項１に記載の画像表示装置。
【請求項３】
前記校正部は、
前記移動速度を固定させた状態で前記移動量を所定量ずつ変化させながら、前記カーソル移動指示信号の送信、及び前記カーソル移動指示信号の送信に続く前記クリック指示信号の送信を複数回繰り返す第一の特定処理と、
前記移動量を固定させた状態で前記移動速度を所定量ずつ変化させながら、前記カーソル移動指示信号の送信、及び前記カーソル移動指示信号の送信に続く前記クリック指示信号の送信を複数回繰り返す第二の特定処理と、をそれぞれ複数回行う
請求項２に記載の画像表示装置。
【請求項４】
前記校正部は、
前記第一の特定処理の過程において前記レスポンス信号を受信した場合には、当該レスポンス信号を受信した時点における移動量に基づいて前記掛け率を特定するとともに、前記第二の特定処理を開始し、
前記第二の特定処理の過程において前記レスポンス信号を受信しなくなった場合には、当該レスポンス信号を受信しなくなった時点における移動速度に基づいて、前記第一の特定処理にて特定した前記掛け率が適用される移動速度の範囲を特定する
請求項３に記載の画像表示装置。
【請求項５】
前記カーソル操作情報生成部は、
前記移動量を、一回の送信当たりに送信する分割移動量に分割し、当該分割移動量を移動速度として前記カーソル移動指示信号を生成し、
前記カーソル操作情報送信部は、
当該分割移動量を一回の送信ごとに複数回に分けて送信することで、前記移動量及び前記移動速度の情報を送信する
請求項２から請求項４の何れか一項に記載の画像表示装置。
【請求項６】
自携帯端末装置の表示画面に表示された画像を表示する画像表示装置と、所定の校正処理を行う携帯端末装置であって、
所定の通信方式に準拠したカーソル移動指示信号を受信して、当該カーソル移動指示信号に基づいて、自携帯端末装置の前記表示画面上においてカーソルを移動させる制御部を備え、
前記制御部はさらに、
自携帯端末装置の前記表示画面上の一部に所定の応答領域を設定し、前記カーソルが当該応答領域内にあった場合において、前記画像表示装置から所定のクリック指示信号を受信した場合には、所定のレスポンス信号を送信する
携帯端末装置。
【請求項７】
携帯端末装置の表示画面に表示された画像を表示する画像表示装置と、
前記画像表示装置と、所定の校正処理を行う携帯端末装置と、
を備える情報処理システムであって、
前記画像表示装置は、
自画像表示装置の表示画面上におけるタッチ操作を検出するタッチ操作検出部と、
当該タッチ操作に基づいて、所定の通信方式に準拠したカーソル移動指示信号及びクリック指示信号を生成するカーソル操作情報生成部と、
前記カーソル移動指示信号及び前記クリック指示信号を、前記所定の通信方式に従って送信するカーソル操作情報送信部と、
自画像表示装置の前記表示画面上において前記タッチ操作で指定された位置と、前記携帯端末装置の前記表示画面上において前記カーソル移動指示信号に基づいて移動させたカーソルの位置と、をそれぞれ前記画像表示装置および前記携帯端末装置が表示する画像を基準にして相対的に同一の位置とするための校正用情報を取得する校正部と、
を備え、
前記校正部はさらに、
前記カーソル操作情報送信部を介して、前記カーソル移動指示信号の送信、及び前記カーソル移動指示信号の送信に続く前記クリック指示信号の送信を複数回繰り返し、当該クリック指示信号に対する前記携帯端末装置からの所定のレスポンス信号の有無に基づいて、前記校正用情報を取得し、
前記携帯端末装置は、
前記カーソル移動指示信号を受信して、当該カーソル移動指示信号に基づいて、前記携帯端末装置の前記表示画面上において前記カーソルを移動させる制御部を備え、
前記制御部はさらに、
前記携帯端末装置の前記表示画面上の一部に所定の応答領域を設定し、前記カーソルが当該応答領域内にあった場合において、前記クリック指示信号を受信した場合には、前記レスポンス信号を送信する
情報処理システム。
【請求項８】
携帯端末装置の表示画面に表示された画像を他の表示画面に表示する画像表示ステップと、
当該画像を表示する前記他の表示画面上においてタッチされた位置と、前記携帯端末装置の前記表示画面上において所定のカーソル移動指示信号に基づいて移動させたカーソルの位置と、をそれぞれ前記他の表示画面に表示される前記画像および前記携帯端末装置の前記表示画面に表示される前記画像を基準にして相対的に同一の位置とするための校正用情報を取得する校正ステップと、
前記他の表示画面上におけるタッチ操作を検出するタッチ操作検出ステップと、
前記タッチ操作に基づいて、前記カーソル移動指示信号及びクリック指示信号を生成するカーソル操作情報生成ステップと、
前記カーソル移動指示信号及び前記クリック指示信号を、所定の通信方式に従って送信するカーソル操作情報送信ステップと、
を有し、
前記校正ステップにおいて、
前記カーソル操作情報送信ステップを介して、前記カーソル移動指示信号の送信、及び前記カーソル移動指示信号の送信に続く前記クリック指示信号の送信を複数回繰り返し、当該クリック指示信号に対する前記携帯端末装置からの所定のレスポンス信号の有無に基づいて、前記校正用情報を取得する
画像表示装置制御方法。
【請求項９】
携帯端末装置の表示画面に表示された画像を表示する画像表示装置のコンピュータを、
自画像表示装置の表示画面上におけるタッチ操作を検出するタッチ操作検出部、
当該タッチ操作に基づいて、所定の通信方式に準拠したカーソル移動指示信号及びクリック指示信号を生成するカーソル操作情報生成部、
前記カーソル移動指示信号及び前記クリック指示信号を、前記所定の通信方式に従って送信するカーソル操作情報送信部、
自画像表示装置の前記表示画面上において前記タッチ操作で指定された位置と、前記携帯端末装置の前記表示画面上において前記カーソル移動指示信号に基づいて移動させたカーソルの位置と、をそれぞれ自画像表示装置および前記携帯端末装置が表示する画像を基準にして相対的に同一の位置とするための校正用情報を取得する校正部、
として機能させ、
前記校正部は、
前記カーソル操作情報送信部を介して、前記カーソル移動指示信号の送信、及び前記カーソル移動指示信号の送信に続く前記クリック指示信号の送信を複数回繰り返し、当該クリック指示信号に対する前記携帯端末装置からの所定のレスポンス信号の有無に基づいて、前記校正用情報を取得する
プログラム。
【発明の詳細な説明】
【技術分野】
【０００１】
本発明は、スマートフォン等の携帯端末装置を制御する画像表示装置、当該画像表示装置と所定の校正処理を行う携帯端末装置、情報処理システム、画像表示装置制御方法及びプログラムに関する。
【背景技術】
【０００２】
近年、通信技術の進歩に伴って情報端末装置は多機能化し、スマートフォンやタブレット端末など、持ち運び可能な携帯端末装置が普及している。携帯端末装置は、電子メールなどの送受信機能だけでなく、インターネットに接続したウェブサーバから所定の記述言語で記述された文書ファイルを取得し、ウェブページを閲覧するブラウザ機能を標準的に備えている。このような携帯端末装置では、押下式のボタン入力に加えて、画面を指でタッチ等することで入力操作できるタッチパネル手段を備えているものが主流となっている。【０００３】
自動車などに搭載されるカーナビゲーションシステム（以下、「カーナビ」と呼ぶ。）などの車載情報端末装置においても、既存のルート検索機能やテレビ視聴機能に加えて、インターネット通信を利用した電子メールの送受信、ホームページの閲覧、電子商取引など様々な情報の収集を可能とするものが発売されている。【０００４】
ところで自動車を所有するユーザの多くは、自動車に搭載される車載情報端末装置とともに、無線通信を利用してデータ送受信する機能を有する携帯端末装置を保有している。車載情報端末装置において上記インターネット通信を利用するためには通信機能が必要となるが、ユーザがカーナビなどの車載情報端末装置について別途通信費を支払うことは高コストとなるため難しい。したがって、ユーザが所有している携帯端末装置と車載情報端末装置を無線ＬＡＮ（Ｌｏｃａｌ  Ａｒｅａ  Ｎｅｔｗｏｒｋ）、Ｂｌｕｅｔｏｏｔｈ（登録商標）、有線ケーブル等のインターフェイスを介して接続し、携帯端末装置の通信機能を利用して、車載情報端末装置に通信機能を提供する形態をとるのが一般的となっている。【０００５】
ここで、特許文献１には、携帯端末装置と通信する車載情報端末装置が開示されている。
また車載情報端末装置で、ナビゲーション機能を有する携帯端末装置を操作することを可能にする技術も知られている。この技術では、車載情報端末装置からの遠隔操作を可能にするための遠隔操作用のアプリケーション機能を携帯端末装置に実行させる。
【先行技術文献】
【特許文献】
【０００６】
【特許文献１】日本国特開２０１２−１４１２０１号公報
【発明の概要】
【発明が解決しようとする課題】
【０００７】
車載情報端末装置で携帯端末装置の操作を可能とする技術では、車載情報端末装置から遠隔操作するための専用のアプリケーションプログラムが携帯端末装置において必要となり、当該専用のアプリケーションプログラムを携帯端末装置にインストールするという作業が必須であった。また、携帯端末装置は、車載情報端末装置から遠隔操作するための専用のアプリケーションプログラムを自携帯端末装置にて動作させて、車載情報端末装置からの情報を逐次解析しながら動作する必要があるため、車載情報端末装置の操作情報に対する追従性が悪く、操作性の低下を招いていた。【０００８】
そこでこの発明は、上述の問題を解決することのできる画像表示装置、携帯端末装置、情報処理システム、画像表示装置制御方法及びプログラムを提供することを目的としている。
【課題を解決するための手段】
【０００９】
本発明は、上述の課題を解決すべくなされたもので、携帯端末装置の表示画面に表示された画像を表示する画像表示手段と、自装置の表示画面上におけるタッチ操作を検出するタッチ操作検出部と、当該タッチ操作に基づいて、所定の通信方式に準拠したカーソル移動指示信号及びクリック指示信号を生成するカーソル操作情報生成部と、前記カーソル移動指示信号及びクリック指示信号を、前記所定の通信方式により送信するカーソル操作情報送信部と、自装置の表示画面上においてタッチ操作で指定された位置と、前記携帯端末装置の表示画面上において前記カーソル移動指示信号に基づいて移動させたカーソルの位置と、を各々が表示する画像を基準にして相対的に同一の位置とするための校正用情報を取得する校正部と、を備え、前記校正部は、前記カーソル操作情報送信部を介して、前記カーソル移動指示信号の送信、及び前記カーソル移動指示信号の送信に続く前記クリック指示信号の送信を複数回繰り返し、当該クリック指示信号に対する前記携帯端末装置からの所定のレスポンス信号の有無に基づいて、前記校正用情報を取得する画像表示装置である。
【００１０】
また本発明は、自携帯端末装置の表示画面に表示された画像を表示する画像表示装置と、所定の校正処理を行う携帯端末装置であって、所定の通信方式に準拠したカーソル移動指示信号を受信して、当該カーソル移動指示信号に基づいて、自携帯端末装置の前記表示画面上においてカーソルを移動させる制御部を備え、前記制御部はさらに、自携帯端末装置の前記表示画面上の一部に所定の応答領域を設定し、前記カーソルが当該応答領域内にあった場合において、前記画像表示装置から所定のクリック指示信号を受信した場合には、所定のレスポンス信号を送信する携帯端末装置である。【００１１】
また本発明は、携帯端末装置の表示画面に表示された画像を表示する画像表示装置と、前記画像表示装置と、所定の校正処理を行う携帯端末装置と、を備える情報処理システムであって、前記画像表示装置は、自画像表示装置の表示画面上におけるタッチ操作を検出するタッチ操作検出部と、当該タッチ操作に基づいて、所定の通信方式に準拠したカーソル移動指示信号及びクリック指示信号を生成するカーソル操作情報生成部と、前記カーソル移動指示信号及び前記クリック指示信号を、前記所定の通信方式に従って送信するカーソル操作情報送信部と、自画像表示装置の前記表示画面上において前記タッチ操作で指定された位置と、前記携帯端末装置の前記表示画面上において前記カーソル移動指示信号に基づいて移動させたカーソルの位置と、をそれぞれ前記画像表示装置および前記携帯端末装置が表示する画像を基準にして相対的に同一の位置とするための校正用情報を取得する校正部と、を備え、前記校正部はさらに、前記カーソル操作情報送信部を介して、前記カーソル移動指示信号の送信、及び前記カーソル移動指示信号の送信に続く前記クリック指示信号の送信を複数回繰り返し、当該クリック指示信号に対する前記携帯端末装置からの所定のレスポンス信号の有無に基づいて、前記校正用情報を取得し、前記携帯端末装置は、前記カーソル移動指示信号を受信して、当該カーソル移動指示信号に基づいて、前記携帯端末装置の前記表示画面上において前記カーソルを移動させる制御部を備え、前記制御部はさらに、前記携帯端末装置の前記表示画面上の一部に所定の応答領域を設定し、前記カーソルが当該応答領域内にあった場合において、前記クリック指示信号を受信した場合には、前記レスポンス信号を送信する情報処理システムである。【００１２】
また本発明は、携帯端末装置の表示画面に表示された画像を他の表示画面に表示する画像表示ステップと、当該画像を表示する前記他の表示画面上においてタッチされた位置と、前記携帯端末装置の前記表示画面上において所定のカーソル移動指示信号に基づいて移動させたカーソルの位置と、をそれぞれ前記他の表示画面に表示される前記画像および前記携帯端末装置の前記表示画面に表示される前記画像を基準にして相対的に同一の位置とするための校正用情報を取得する校正ステップと、前記他の表示画面上におけるタッチ操作を検出するタッチ操作検出ステップと、前記タッチ操作に基づいて、前記カーソル移動指示信号及びクリック指示信号を生成するカーソル操作情報生成ステップと、前記カーソル移動指示信号及び前記クリック指示信号を、所定の通信方式に従って送信するカーソル操作情報送信ステップと、を有し、前記校正ステップにおいて、前記カーソル操作情報送信ステップを介して、前記カーソル移動指示信号の送信、及び前記カーソル移動指示信号の送信に続く前記クリック指示信号の送信を複数回繰り返し、当該クリック指示信号に対する前記携帯端末装置からの所定のレスポンス信号の有無に基づいて、前記校正用情報を取得する画像表示装置制御方法である。
【００１３】
また本発明は、携帯端末装置の表示画面に表示された画像を表示する画像表示装置のコンピュータを、自装置の表示画面上におけるタッチ操作を検出するタッチ操作検出手段、当該タッチ操作に基づいて、所定の通信方式に準拠したカーソル移動指示信号及びクリック指示信号を生成するカーソル操作情報生成手段、前記カーソル移動指示信号及びクリック指示信号を、前記所定の通信方式により送信するカーソル操作情報送信手段、自装置の表示画面上においてタッチ操作で指定された位置と、前記携帯端末装置の表示画面上において前記カーソル移動指示信号に基づいて移動させたカーソルの位置と、を各々が表示する画像を基準にして相対的に同一の位置とするための校正用情報を取得する校正手段、として機能させ、前記校正部は、前記カーソル操作情報送信部を介して、前記カーソル移動指示信号の送信、及び前記カーソル移動指示信号の送信に続く前記クリック指示信号の送信を複数回繰り返し、当該クリック指示信号に対する前記携帯端末装置からの所定のレスポンス信号の有無に基づいて、前記校正用情報を取得するプログラムである。
【発明の効果】
【００１４】
本発明では、遠隔操作用の専用のアプリケーションプログラムを必要とせずに携帯端末装置を遠隔操作することが可能となり、また、操作性が向上する効果が得られる。
【図面の簡単な説明】
【００１５】
【図１】本発明の一実施形態における画像表示装置の最小構成を示す図である。
【図２】本発明の一実施形態における画像表示装置と携帯端末装置の機能構成を具体的に示す図である。
【図３】本発明の一実施形態における画像表示装置と携帯端末装置の動作を説明する第一の図である。
【図４】本発明の一実施形態における画像表示装置と携帯端末装置の動作を説明する第二の図である。
【図５】本発明の一実施形態における画像表示装置と携帯端末装置の動作を説明する第三の図である。
【図６Ａ】本発明の一実施形態におけるカーソル移動指示信号の内容を具体的に説明する図である。
【図６Ｂ】本発明の一実施形態におけるカーソル移動指示信号の内容を具体的に説明する図である。
【図７】本発明の一実施形態における携帯端末装置が有する移動量掛け率情報を示す図である。
【図８】本発明の一実施形態における校正部の初期動作を説明する図である。
【図９】本発明の一実施形態における校正部の第一の特定処理を説明する第一の図である。
【図１０】本発明の一実施形態における校正部の処理の経過を示す第一の図である。
【図１１】本発明の一実施形態における校正部の第二の特定処理を説明する図である。
【図１２】本発明の一実施形態における校正部の処理の経過を示す第二の図である。
【図１３】本発明の一実施形態における校正部の第一の特定処理を説明する第二の図である。
【図１４】本発明の一実施形態における校正部の処理の経過を示す第三の図である。
【図１５】本発明の一実施形態における校正部及び携帯端末装置の処理フローを示す第一の図である。
【図１６】本発明の一実施形態における校正部及び携帯端末装置の処理フローを示す第二の図である。
【図１７】本発明の一実施形態におけるカーソル操作情報生成部の動作を具体的に説明する図である。
【発明を実施するための形態】
【００１６】
以下、本発明の一実施形態における画像表示装置を、図面を参照して説明する。
図１は同実施形態における画像表示装置の最小構成を示す図である。この図において、符号１は画像表示装置である。
【００１７】
図１に示すように、画像表示装置１は少なくとも、タッチ操作検出部１００、カーソル操作情報生成部、校正部１２１及びカーソル操作情報送信部１３０を備えている。
タッチ操作検出部１００は、画像表示装置１の表示画面上におけるタッチ操作を検出する機能部である。
カーソル操作情報生成部１２０は、当該タッチ操作に基づいて、所定の通信方式に準拠したカーソル移動指示信号及びクリック指示信号を生成する機能部である（カーソル移動指示信号及びクリック指示信号については後述する）。
カーソル操作情報送信部１３０は、当該カーソル移動指示信号及びクリック指示信号を、所定の通信方式に従って送信する機能部である。
校正部１２１は、自画像表示装置の表示画面上においてタッチ操作で指定された位置と、携帯端末装置２（図２）の表示画面上においてカーソル移動指示信号に基づいて移動させたマウスカーソルの位置と、を各々の装置が表示する画像を基準にして相対的に同一の位置とするための校正用情報を取得する機能部である。
【００１８】
図２は、本発明の一実施形態における画像表示装置と携帯端末装置の機能構成を具体的に示す図である。
図２に示す通り、画像表示装置１は、タッチパネル１０、表示部１１、制御部１２、無線通信部１３及び有線通信部１４を備えている。
【００１９】
タッチパネル１０は所定のタッチセンサを有するパネルであり、表示部１１と一体となってタッチセンサディスプレイを構成する機能部である。一方、表示部１１は、液晶ディスプレイ、有機ＥＬ（Ｅｌｅｃｔｒｏ  Ｌｕｍｉｎｅｓｃｅｎｃｅ）ディスプレイなどで構成されるフラットディスプレイであり、ユーザの視覚を通じて各種情報を伝達する機能部である。
【００２０】
本実施形態におけるタッチパネル１０は、一般的に用いられるタッチセンサディスプレイと同様、静電容量方式、抵抗方式等を利用して実現され、表示部１１の表示画面上においてタッチされた位置を座標情報（Ｘ、Ｙ）として検出する。なお、タッチパネル１０は、図１におけるタッチ操作検出部１００の一態様である。
【００２１】
また本実施形態における表示部１１は、有線通信部１４が携帯端末装置２から受信した画像情報に基づく画像であって、携帯端末装置２の表示画面に表示された画像と同等の画像を表示する。例えば携帯端末装置２にてカーナビゲーション用アプリケーション機能（以下、「カーナビゲーション機能」）が実行されており、その表示画面（表示部２１）に当該カーナビゲーション機能用の画像が表示されている場合、画像表示装置１の表示部１１も、当該カーナビゲーション機能用の画像を表示することとなる。
【００２２】
制御部１２は、タッチパネル１０の他、種々の機能部から入力される情報に応じて様々な処理を実行し、当該処理の過程または結果を所定の機能部へと出力する機能部である。制御部１２は、一般的にはＣＰＵ（Ｃｅｎｔｒａｌ  Ｐｒｏｃｃｅｓｓｉｎｇ  Ｕｎｉｔ、中央演算装置）に所定のプログラムを実行させることで構成される。なお本実施形態においては、図１に示したカーソル操作情報生成部１２０及び校正部１２１は、制御部１２にて実現されるものとする。これらカーソル操作情報生成部１２０及び校正部１２１の具体的な機能については後述する。
【００２３】
無線通信部１３は、携帯端末装置２と、所定の通信方式に準拠した無線通信を行う機能部である。具体的には、本実施形態における無線通信部１３は、Ｂｌｕｅｔｏｏｔｈ（登録商標）のＨＩＤ（Ｈｕｍａｎ  Ｉｎｔｅｒｆａｃｅ  Ｄｅｖｉｃｅ）プロファイル（以下、単に「ＨＩＤプロファイル」と称する。）を用いた無線通信を実現する。ここでＢｌｕｅｔｏｏｔｈ（登録商標）とは、電子機器の近距離無線通信規格の一つである。またＨＩＤプロファイルとは、Ｂｌｕｅｔｏｏｔｈ（登録商標）のプロファイルのうち、マウスやキーボードなどの入力装置用の無線通信規格である。
なお、無線通信部１３は、図１に示すカーソル操作情報送信部１３０の一態様である。また、「ＨＩＤプロファイル」は本実施形態における「所定の通信方式」の一態様である。すなわち、本実施形態における無線通信部１３は、ＨＩＤプロファイルに基づいたマウス操作情報であるカーソル移動指示信号、プレス指示信号またはリリース指示信号を送信する（各指示信号の内容については後述する）。なお無線通信部１３は、当該カーソル移動指示信号、プレス指示信号またはリリース指示信号の他、ＨＩＤプロファイルに基づくキーボードの操作信号等を送受信してもよい。
なお本実施形態においては、画像表示装置１と携帯端末装置２の間におけるマウス操作情報のやり取りを、上述した通り、無線通信（Ｂｌｕｅｔｏｏｔｈ（登録商標）のＨＩＤプロファイル）を利用して実現しているが、他の実施形態においてこの態様に限定されるものではない。すなわちマウス操作情報を送受信するにあたって、ＵＳＢ（Ｕｎｉｖｅｒｓａｌ  Ｓｅｒｉａｌ  Ｂｕｓ）マウスを想定した所定の有線通信を用いて当該マウス操作情報の送受信を行ってもよい。
【００２４】
また無線通信部１３は、Ｂｌｕｅｔｏｏｔｈ（登録商標）のＳＰＰ（Ｓｅｒｉａｌ  Ｐｏｒｔ  Ｐｒｏｆｉｌｅ）プロファイル（以下、単に「ＳＰＰプロファイル」とする。）を用いた無線通信を行う。ＳＰＰプロファイルは、Ｂｌｕｅｔｏｏｔｈ（登録商標）で通信する電子機器を仮想シリアルポート化するためのプロファイルである。無線通信部１３はこのＳＰＰプロファイルに準拠した無線通信で、例えば、携帯端末装置２の表示部２１における画像解像度や携帯端末装置２の向き（縦、横）を受信する。
【００２５】
有線通信部１４は、携帯端末装置２と有線通信を行う機能部である。有線通信部１４は、例えばＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子を有する有線接続部である。有線通信部１４は、ＨＤＭＩケーブル３を介して携帯端末装置２の有線通信部２４と接続する。本実施形態における有線通信部１４は、例えば携帯端末装置２の表示部２１に表示中の画像の画像情報を受信する。
なお本実施形態においては、画像表示装置１と携帯端末装置２の間における画像情報のやり取りを有線通信（ＨＤＭＩ）を利用して実現しているが、他の実施形態においてこの態様に限定されるものではない。すなわち画像情報を送受信するにあたって十分な通信速度が実現できる場合には、無線通信を用いて当該画像情報の送受信を行ってもよい。
【００２６】
一方、携帯端末装置２は、タッチパネル２０、表示部２１、制御部２２、無線通信部２３及び有線通信部２４を備えている。
【００２７】
タッチパネル２０及び表示部２１の基本的な機能は、画像表示装置１が備えるタッチパネル１０及び表示部１１の機能と同等である。上述のとおり、表示部２１は、例えば携帯端末装置２にてカーナビゲーション用アプリケーション機能が実行されている場合は、当該カーナビゲーション用アプリケーション機能用の画像を表示する。
【００２８】
携帯端末装置２が備える制御部２２は、画像表示装置１における制御部１２と同じく、携帯端末装置２における種々の処理を行う機能部である。制御部２２は、制御部１２と同様にＣＰＵに所定のプログラムを実行させることで構成される。また制御部２２は、例えばカーナビゲーション機能が記述されたアプリケーションプログラムを読み出して、当該カーナビゲーション機能を実現する機能部となる。
【００２９】
また制御部２２は、ＨＩＤプロファイルに準拠したカーソル移動指示信号を受信して、当該カーソル移動指示信号に基づいて、表示部２１の画面上においてマウスカーソルを移動させる。
例えば制御部２２は、外部装置からマウス操作情報として「カーソル移動指示信号」を受信すると、自携帯端末装置の表示部２１上において表示されるマウスカーソルを、現在の位置から、当該カーソル移動指示信号に基づいた距離及び方向へ移動させる処理を実行する。なおカーソル移動指示信号は、ユーザがマウスを移動させる操作に応じてマウス自身が出力する、ＨＩＤプロファイルに準拠した信号である。
また、制御部２２は、外部装置からマウス操作情報として「プレス指示信号」を受信すると、マウスボタンのプレス操作（マウスに備えられた所定のボタンを押下する操作）に基づく処理を実行する。同様に、制御部２２はマウス操作情報として「リリース指示信号」を受信すると、マウスボタンのリリース操作（当該押下されたボタンを離す操作）に基づく処理を実行する。
なお一般的に知られているマウス操作として、プレス操作の後にリリース操作する「クリック操作」がある。また、プレス操作を維持したままマウスカーソルを移動させることで「ドラッグ操作」となる。また本実施形態においては、上記プレス指示信号に続くリリース指示信号の一連の信号セットを「クリック指示信号」と定義する。
【００３０】
無線通信部２３は、画像表示装置１の無線通信部１３に対し、ＨＩＤプロファイル及びＳＰＰプロファイルに準拠した無線通信を確立する。無線通信部２３は例えば、画像表示装置１の無線通信部１３からＨＩＤプロファイルに準拠したマウス操作情報（カーソル移動指示信号、プレス指示信号、リリース指示信号）を受信する。
有線通信部２４は、画像表示装置１の有線通信部１４と同様で、ＨＤＭＩ端子を有する有線接続部であり、有線通信部１４とＨＤＭＩケーブル３を介して有線通信を行う。有線通信部２４は、例えば表示部２１に表示中の画像の画像情報を画像表示装置１の有線通信部１４に送信する。
【００３１】
上述の内容をまとめると、本実施形態における画像表示装置１は、カーナビゲーション機能が実行された携帯端末装置２と有線通信及び無線通信を確立し、自動車等に搭載されるカーナビゲーションシステムとして機能する装置である。本実施形態における画像表示装置１は、携帯端末装置２の表示画面に表示された画像を表示する画像表示装置であって、携帯端末装置２において実現されるカーナビゲーション機能を、ユーザが行う操作の利便性を向上させる用途で使用する補助装置であるといえる。
ただしこの場合、携帯端末装置２は当該カーナビゲーションシステムの根幹として機能する装置である一方、画像表示装置１はあくまで、携帯端末装置２の表示画面に表示された画像を、自画像表示装置の表示画面に表示し、さらに当該表示画像に対するユーザの意思に基づく操作を、携帯端末装置２に対する操作として反映させるユーザインターフェイス装置である。すなわち画像表示装置１は、携帯端末装置２にて実行されるアプリケーション機能次第では、当該カーナビゲーションシステム以外の態様として機能し得るものである。例えば、携帯端末装置２が動画再生機能を実行中の場合、画像表示装置１は、当該動画再生機能が実行された携帯端末装置２と有線通信及び無線通信を確立して動画再生システムとして機能する。
【００３２】
図３は、本発明の一実施形態における画像表示装置と携帯端末装置の動作を説明する第一の図である。
次に、カーナビゲーションシステムとして機能する画像表示装置１と携帯端末装置２の具体的な動作について説明する。まず、カーナビゲーション用アプリケーションプログラムを実行させた携帯端末装置２を画像表示装置１にＨＤＭＩケーブル３にて接続する。すると、携帯端末装置２の制御部２２（図３には図示せず）は有線通信部２４を介して自携帯端末装置の表示部２１に表示中の画像（主画像Ａ）の画像情報を送信する。主画像Ａは、携帯端末装置２において当該カーナビゲーション機能を実現するための表示画像である。
【００３３】
そして、画像表示装置１の制御部１２（図３には図示せず）は、有線通信部１４を介して受信した主画像Ａの画像情報に基づいた主画像Ａ’を自画像表示装置の表示部１１に出力する。なお制御部１２は、主画像Ａについての解像度情報を同時に受信している。解像度情報とは、携帯端末装置２の表示部２１の横方向の画素数Ｗ２及び縦方向の画素数Ｈ２に基づいた、画像の縦横比及び解像度を示す情報である。
【００３４】
ここで制御部１２は、図３に示すように、受信した主画像Ａに基づいた主画像Ａ’の全体が表示部１１に描画できる限度まで主画像Ａを拡大して表示する。普通の携帯端末装置２に用いられるディスプレイ（表示部２１）は小型であるためこのままではユーザが情報を視認しにくく不都合であったが、画像表示装置１が上記主画像Ａ’を自画像表示装置の表示部１１いっぱいに表示することでこの問題を解決できる。
【００３５】
しかしこの際、携帯端末装置２の機種次第では、携帯端末装置２の表示部２１と画像表示装置１の表示部１１の縦横比が合致しない場合も考えられる。そこで制御部１２は、主画像Ａの縦横比を維持したまま自画像表示装置の表示部１１に主画像Ａ’を表示し、表示部１１の表示画面のうち主画像Ａ’が表示されない領域については余白画像Ｂ（例えば黒一色の画像）を表示することとする（図３）。例えば、携帯端末装置２の表示部２１が「Ｗ２＝６００、Ｈ２＝４００」（いずれも画素数）の解像度であり、一方、画像表示装置１の表示部１１が「Ｗ１＝９００、Ｈ１＝７００」であったとする。この場合、制御部１２は、主画像Ａを１．５倍（＝９００／６００）に拡大した画像を主画像Ａ’として「Ｗ１＝９００、Ｈ１’＝６００」の解像度で表示部１１に表示し、さらに上下の余白部分（Ｈ１＝７００からＨ１’＝６００を差し引いた幅分の領域）には余白画像Ｂを表示する。
【００３６】
図４は、本発明の一実施形態における画像表示装置と携帯端末装置の動作を説明する第二の図である。
以下、画像表示装置１のタッチパネル１０にてタッチ操作（指をタッチパネル１０に接触させ、接触させた指を離す操作）を検出した際の、カーソル操作情報生成部１２０の動作について詳細に説明する。カーソル操作情報生成部１２０は、画像表示装置１のタッチパネル１０に対するユーザのタッチ操作に基づいて、ＨＩＤプロファイルに準拠したマウス操作情報（カーソル移動指示信号、プレス指示信号、リリース指示信号）を生成する。そして、ユーザの意思に基づく画像表示装置１へのタッチ操作が、携帯端末装置２においてのマウス操作として反映されるように、当該マウス操作情報を生成する。ここでカーソル操作情報生成部１２０は、携帯端末装置２におけるマウスカーソルが予め基準位置である座標（０、０）（例えば表示部２１上における右下端）にあることを前提として、マウス操作情報（特にカーソル移動指示信号）を生成する。
【００３７】
ここで、まずタッチパネル１０が座標（Ｘ１、Ｙ１）におけるタッチ操作を検出したとする（図４右）。すると、カーソル操作情報生成部１２０は直ちにタッチ位置（Ｘ１、Ｙ１）に応じたカーソル移動指示信号（Ｘ２、Ｙ２）を生成する。ここでカーソル操作情報生成部１２０は、予め取得していた自画像表示装置の表示部１１に対する携帯端末装置２の表示部２１の縮尺及び所定の「校正用情報」に基づいてカーソル移動指示信号を生成する（「校正用情報」については後述する）。そしてカーソル操作情報生成部１２０は、当該カーソル移動指示信号（Ｘ２、Ｙ２）と、続いてクリック指示信号（プレス指示信号とその後に続くリリース指示信号）を無線通信部１３に出力する。
【００３８】
ここで、ユーザが行うタッチ操作の「タッチ時間」すなわち、指がタッチパネル１０に接触してから離れるまでの時間は、クリック指示信号においてプレス指示信号が送信されてからリリース指示信号が送信されるまでの時間と対応させてもよい。すなわち、カーソル操作情報生成部１２０は、指がタッチパネル１０に接触することを感知してプレス指示信号を出力し、続いて、指がタッチパネル１０から離れたことを感知してリリース指示信号を出力してもよい。このようにすることで、ユーザが行ういわゆる“長押し”操作（一定の期間タッチパネル１０に接触し続ける操作）についても、携帯端末装置２におけるマウス操作として反映させることができる。
【００３９】
携帯端末装置２の制御部２２（図４には図示せず）は、当該カーソル移動指示信号（Ｘ２、Ｙ２）及びクリック指示信号を、無線通信部２３を介して受信する。ここで制御部２２は、当該各種受信信号をＨＩＤプロファイルに準拠したマウス操作情報として受信する。そうすると制御部２２は、当該カーソル移動指示信号（Ｘ２、Ｙ２）に従ってカーソルを現在の位置（基準位置（０、０））からＸ軸方向（紙面左方向）にＸ２幅分、Ｙ軸方向（紙面上方向）にＹ２幅分だけ移動させる（図４左）。そして制御部２２は、続いて受信したクリック指示信号に基づいて、マウスのクリック操作を受け付けた際の処理を実行する。
【００４０】
カーソル操作情報生成部１２０が、以上のような一連のマウス操作用情報を生成して出力することで、ユーザの意思に基づく画像表示装置１へのタッチ操作が、携帯端末装置２においては、当該ユーザの意思を反映したマウス操作（マウスカーソルを移動させてクリック）として処理される。なお、カーソル操作情報生成部１２０は、タッチ操作に基づくカーソル移動指示信号及びクリック指示信号を出力した後に、マウスカーソルを基準位置（０、０）に戻すためのカーソル移動指示信号を出力する。このようにすることで、カーソル操作情報生成部１２０は、自画像表示装置において検出するタッチ操作の度に、携帯端末装置２のカーソル位置が基準位置（０、０）にあることを前提としてカーソル移動指示信号を生成することができる。
【００４１】
図５は、本発明の一実施形態における画像表示装置と携帯端末装置の動作を説明する第三の図である。
次に、画像表示装置１のタッチパネル１０にてドラッグ操作（指をタッチパネル１０に接触させてそのまま他の位置まで滑らせる操作）を検出した際の、カーソル操作情報生成部１２０の動作について詳細に説明する。カーソル操作情報生成部１２０は、上記タッチ操作の場合と同様に、ユーザのドラッグ操作に基づいて、ＨＩＤプロファイルに準拠したマウス操作情報を生成する。
【００４２】
まず、カーソル操作情報生成部１２０はドラッグ操作の開始（タッチパネル１０に指が接触したこと）を検出すると、ドラッグ操作の最初の位置（Ｘ１、Ｙ１）に対応するカーソル移動指示信号（Ｘ２、Ｙ２）を生成する。当該処理は、上述したタッチ操作の処理についてのカーソル移動処理と同等である。すなわち、カーソル操作情報生成部１２０は、携帯端末装置２におけるマウスカーソルが予め基準位置（０、０）にあることを前提としてカーソル移動指示信号（Ｘ２、Ｙ２）を生成する。またカーソル操作情報生成部１２０は、当該カーソル移動指示信号に続いてプレス指示信号を生成し、無線通信部１３を介して送信する。
【００４３】
次に、タッチパネル１０が座標（Ｘ１、Ｙ１）から座標（Ｘ１’、Ｙ１’）までのドラッグ操作を検出したとする（図５右）。すると、カーソル操作情報生成部１２０はドラッグ操作の始点位置（Ｘ１、Ｙ１）及び終点位置（Ｘ１’、Ｙ１’）の差分（ｄＸ１、ｄＹ１）を算出し、当該差分座標（ｄＸ１、ｄＹ１）に応じたカーソル移動指示信号（ｄＸ２、ｄＹ２）を生成する。この場合においても、カーソル操作情報生成部１２０は、表示部１１に対する表示部２１の縮尺及び所定の校正用情報（後述）に基づいたカーソル移動指示信号を生成する。
【００４４】
携帯端末装置２の制御部２２（図５には図示せず）は、当該カーソル移動指示信号（ｄＸ２、ｄＹ２）を、無線通信部２３を介して受信する。ここで制御部２２は、当該受信信号をＨＩＤプロファイルに準拠したマウス操作情報として受信する。そうすると、制御部２２は、当該カーソル移動指示信号（ｄＸ２、ｄＹ２）に従ってマウスカーソルを現在の位置（Ｘ２、Ｙ２）からＸ軸方向（紙面左方向）にｄＸ２幅分、Ｙ軸方向（紙面下方向）にｄＹ２幅分だけ移動させる（図５左）。
【００４５】
またカーソル操作情報生成部１２０は、上記ドラッグ操作の開始時にてプレス指示信号を出力した後、ドラッグ操作の終了（タッチパネル１０から指が離れたこと）を検出するまではリリース指示信号を出力しないで、マウスボタンが押下された状態を継続する。このようにすることで、カーソル操作情報生成部１２０は、画像表示装置１における指を利用したドラッグ操作を、携帯端末装置２におけるマウスを利用したドラッグ操作として対応させることができる。なお、カーソル操作情報生成部１２０は、当該ドラッグ操作の終了を検出すると、当該リリース指示信号に続いてマウスカーソルを基準位置（０、０）に戻すためのカーソル移動指示信号を出力する。このようにすることで、カーソル操作情報生成部１２０は、ドラッグ操作の終了後においても、携帯端末装置２のカーソル位置を基準位置（０、０）に戻すことができる。
【００４６】
以上に説明したとおり、本実施形態における画像表示装置１は、当該画像表示装置１に対するユーザの「タッチ操作」及び「ドラッグ操作」を、携帯端末装置２に対するマウス操作として再現させる。このような画像表示装置１を用いると、ユーザは携帯端末装置２の小さいディスプレイ（表示部２１）に対して直接操作を要することなく、画像表示装置１の比較的大きいサイズのディスプレイ（表示部１１）に対する操作で携帯端末装置２を意図する通りに操作することができる。
【００４７】
また本実施形態においては、上述した通り、一般的な携帯端末装置２であれば普通に利用できるＨＩＤプロファイルを利用して携帯端末装置２を遠隔操作する。したがってユーザは、画像表示装置１と携帯端末装置２を、カーナビゲーションシステムとして機能させるための連携操作用のアプリケーションプログラムをインストールする必要が生じない。さらに当該ＨＩＤプロファイルを利用すれば、携帯端末装置２は、通常の無線マウスを利用した信号としてカーソル移動指示信号、プレス指示信号およびリリース指示信号を受信するため、カーソル移動、クリック及びドラッグ等の各処理も、通常の無線マウスを利用した操作として俊敏に実行される。
【００４８】
以上説明した本実施形態の画像表示装置では、画像表示装置１から遠隔操作するためのアプリケーションプログラムを必要とせずに、画像表示装置１から携帯端末装置２を操作することが可能となり、また、操作性が向上する効果が得られる。
【００４９】
ところで、上述したように画像表示装置１におけるタッチ操作及びドラッグ操作が、ユーザが意図する通りに携帯端末装置２におけるマウス操作として再現されるためには、表示部１１におけるタッチ位置またはドラッグ操作時において指定される位置と、表示部２１においてカーソル移動指示信号に基づいてマウスカーソルを移動させる位置とが、各々の表示部が表示する画像を基準にして相対的に常に同一の位置となることを要する。
【００５０】
ところが、実際にはユーザが使用する携帯端末装置２ごとに、表示部２１の縦横比や解像度はまちまちである。また画像表示装置１が同じ内容のカーソル移動指示信号を送信したとしても、それを受信した携帯端末装置２の仕様（或いはユーザ設定）次第では、表示部２１上においてマウスカーソルが実際に移動する移動量は異なってくる。したがって画像表示装置１は、予め定められた一つの校正用情報を用意しておくのではなく、携帯端末装置２が画像表示装置１に接続される度に、当該携帯端末装置２についての校正用情報を取得する必要がある。
【００５１】
そこで校正部１２１は、上述したカーソル操作情報生成部１２０の処理に先立って、表示部１１の表示画面上においてタッチ操作で指定された位置と、携帯端末装置２の表示部２１の表示画面上においてカーソル移動指示信号に基づいて移動させたマウスカーソルの位置と、を各々の表示部が表示する画像を基準にして常に同一の位置とするために必要な校正用情報を取得する。
【００５２】
図６Ａおよび図６Ｂは、本発明の一実施形態におけるカーソル移動指示信号の内容を具体的に説明する図である。
まず校正部１２１における校正処理の具体的内容を説明する前に、カーソル移動指示信号の内容を、図６Ａおよび図６Ｂを参照して詳細に説明する。図６Ａ及び図６Ｂは、それぞれ異なる内容のカーソル移動指示信号を示している。
【００５３】
ここで、ＨＩＤプロファイルに基づくカーソル移動指示信号は、「移動量Ｌ」と「移動速度Ｖ」の二つの情報の組み合わせからなる。移動量Ｌとは、上述したマウスカーソルを移動させる大きさの基準となる量である。一般的な無線マウスであれば、当該無線マウスから送信される移動量Ｌの値は、ユーザが無線マウスを実際に移動させた距離に対応する。すなわちユーザが無線マウスを大きく移動させた場合、受信側（携帯端末装置２）が受信する移動量Ｌはその移動距離に応じて大きくなる。ただし、受信側においては、受信した移動量Ｌがそのまま表示部２１上におけるマウスカーソルの移動量として適用されるわけではない。この点については後述する。
【００５４】
受信側は、Ｘ軸方向の移動量Ｌｘについて“Ｌｘ＝１００”を受信すると、Ｘ軸方向に“Ｌｘ＝１００”に応じてマウスカーソルを現在の位置から移動させる処理を行う。なおＹ軸方向についても同様であり、移動量Ｌは、Ｘ軸方向への移動量Ｌｘ、Ｙ軸方向への移動量Ｌｙの組み合わせで表される。
【００５５】
また、一般的な無線マウス等のカーソル移動指示信号の送信側は、上記移動量Ｌを、所定の分割移動量Ｌｐに分割し、これを複数回に分けて送信する。そして受信側は、一回の送信当たりの分割移動量Ｌｐを、もう一つの情報である「移動速度Ｖ」として受信する。例えば図６Ａ及び図６Ｂに示すカーソル移動指示信号は、いずれも受信側にとっては移動量“Ｌ＝３０”と認識される。しかし、図６Ａに示すカーソル移動指示信号は、一回の送信当たりの分割移動量Ｌｐを“１５”として２回に分けて送信することで移動量Ｌを“３０”としている。一方、図６Ｂに示すカーソル移動指示信号では、一回の送信当たりの分割移動量Ｌｐを“７．５”として４回に分けて送信することで移動量Ｌを“３０”としている。
【００５６】
受信側は、分割移動量Ｌｐに基づく単位時間（例えば１秒）当たりの移動量を移動速度Ｖとして受信する。例えば、図６Ａの場合、受信側は、一回の送信当たりの分割移動量“Ｌｐ＝１５”に基づく単位時間当たりの移動量である“９０”を移動速度Ｖとして受信する。同様に、図６Ｂの場合、一回の送信当たりの分割移動量“Ｌｐ＝７．５”に基づく単位時間当たりの移動量である“４５”を移動速度Ｖとして受信する。
なお移動速度Ｖも移動量Ｌと同様、Ｘ軸方向への移動速度Ｖｘ、Ｙ軸方向への移動速度Ｖｙの組み合わせで表される。
【００５７】
図７は、本発明の一実施形態における携帯端末装置が有する移動量掛け率情報を示す図である。
携帯端末装置２の制御部２２は、上記のように定義された移動量Ｌと移動速度Ｖに基づいて、表示部２１上におけるマウスカーソルの実際の移動量を定める。ここで制御部２２は、予め自携帯端末装置に設定されている「移動量掛け率情報」を参照して受信した移動量に対して乗ずる「掛け率」を特定する。すなわち制御部２２は、受信した移動量に当該「掛け率」を乗算した値を、実際のマウスカーソルの移動量として移動処理を実行する。
図７に示す移動量掛け率情報テーブルの左列には移動速度Ｖの範囲が定義されており、右列には各移動速度Ｖの範囲に対応する掛け率が定義されている。すなわち、適用される掛け率は受信する移動速度Ｖに基づいて特定される。
【００５８】
例えば、携帯端末装置２が、ＨＩＤプロファイル送信側からカーソル移動指示信号として移動量“Ｌ＝１００”、移動速度“Ｖ＝２００”を受信したとする。すると制御部２２は、移動量掛け率情報テーブルを参照して、移動速度“Ｖ＝２００”に対応する掛け率“Ａ＝３”を特定する（図７）。そして、受信した移動量“Ｌ＝１００”に“Ａ＝３”を乗じ、掛け率適用後の移動量“ＬＡ＝３００”を算出する。制御部２２は、表示部２１上において当該掛け率適用後の移動量“ＬＡ＝３００”の幅分だけマウスカーソルを移動させる処理を行う（以下、ＬＡを「実効移動量」と称する）。
【００５９】
また、図６Ａに示す例（移動量“Ｌ＝３０”、移動速度“Ｖ＝９０”）の場合、表示部２１上におけるマウスカーソルの実際の移動量である実効移動量ＬＡは“３９”（＝３０×１．３）となるのに対し、図６Ｂに示す例（移動量“Ｌ＝３０”、移動速度“Ｖ＝４５”）の場合、実効移動量ＬＡは“３０”（＝３０×１）となる（図７の表を参照）。このように携帯端末装置２は、移動量Ｌが同じであってもその移動速度Ｖが大きいほど、実効移動量ＬＡを大きくさせるような処理を行う。
【００６０】
携帯端末装置２の制御部２２が、移動速度Ｖに応じて動的に実効移動量ＬＡを変化させる処理は、ユーザが行う通常のマウス操作を快適にするために用いられる既に知られた技術である。すなわち携帯端末装置２は、ユーザがマウスを素早く動かした場合には、ユーザがカーソルを大きく動かす意思があるものとして、自動的にマウスカーソルの移動量を大きくする。一方、ユーザがマウスをゆっくりと動かした場合には、ユーザはカーソルを微調整する意思があるものとして、自動的にマウスカーソルの移動量を小さくする。
なお以上のような移動速度に応じた移動量の調整機能は、携帯端末装置２のみならず、マウス操作を受け付ける電子機器全般に利用されているものである。
【００６１】
しかし、どの程度の移動速度に応じて移動量がどの程度増加するのか、という情報、すなわち図７に示す移動量掛け率情報テーブルは、携帯端末装置２において定められた固有の情報であり、さらにユーザ設定に応じて自由にカスタマイズできるものでもある。
したがって、画像表示装置１が上述した携帯端末装置２との連携処理（図４及び図５）を実現するためには、画像表示装置１は、携帯端末装置２が固有に有する移動量掛け率情報を取得する必要がある。カーソル操作情報生成部１２０は、当該取得した移動量掛け率情報を参照しながら、タッチ操作におけるタッチ座標（Ｘ１、Ｙ１）と携帯端末装置２におけるマウスカーソルの移動量（Ｘ２、Ｙ２）の対応付けを行う。
【００６２】
そこで本実施形態における画像表示装置１の校正部１２１は、所定の校正処理を行い、携帯端末装置２において定められた固有の情報であって、移動速度Ｖに応じて適用される移動量Ｌへの掛け率を定めた移動量掛け率情報を以下に示す処理手順に基づいて特定する。本実施形態においては、当該移動量掛け率情報が「校正用情報」の一態様である。
一方、携帯端末装置２の制御部２２は、校正部１２１の校正処理を実現するために、所定の校正用アプリケーションプログラムを読み込む。そして、当該校正用アプリケーションプログラムを読み込んだ制御部２２は、表示部２１の画面上の一部に所定の応答領域２１１を設定し、マウスカーソルが当該応答領域２１１にあった場合において、クリック指示信号を受信した場合には、所定のレスポンス信号を送信する処理を実行する。
以下、校正部１２１における移動量掛け率情報の具体的な取得手段について説明する。
【００６３】
図８は、本発明の一実施形態における校正部の初期動作を説明する図である。
ここで本実施形態における携帯端末装置２の表示部２１の画素数が、Ｘ軸方向（紙面横方向）に５８０、Ｙ軸方向（紙面縦方向）に３５０であったとする。
まず校正部１２１は校正処理の開始に先立って、無線通信部１３を介して校正用アプリケーション機能の起動指示信号を送信する。一方、携帯端末装置２の制御部２２（図８には図示せず）は、無線通信部２３を介して当該起動指示信号を受信すると携帯端末装置２に予め記憶された校正用アプリケーションプログラムを読み出して、所定の校正用アプリケーション機能を実行する。以下、校正部１２１が当該校正用アプリケーション機能を利用してＸ軸方向に関する移動量掛け率情報を取得する手順を説明する。
【００６４】
図８には、当該校正用アプリケーション機能に基づく表示画像が表示部２１に表示された状態を示している。校正用アプリケーション機能に基づく表示画像は、図８に示す通り、非応答領域２１０と応答領域２１１で構成される。応答領域２１１は、マウスカーソルの基準位置（０、０）から最も離れた（図８における表示部２１左端の）一画素幅分の領域に設定される。また非応答領域２１０は、応答領域２１１以外の全ての領域として設定される。
【００６５】
制御部２２は、マウスカーソルが応答領域２１１に位置する場合にクリック指示信号を外部から受信すると、当該校正用アプリケーション機能に基づいて所定のレスポンス信号を、無線通信部２３を介して送信する。一方、制御部２２は、マウスカーソルが非応答領域２１０に位置する場合にクリック指示信号を外部から受信すると、当該所定のレスポンス信号を送信しない。
【００６６】
校正部１２１は、無線通信部１３を介して、カーソル移動指示信号の送信、及びこれに続くクリック指示信号の送信を複数回繰り返し、当該クリック指示信号に対する携帯端末装置２からの所定のレスポンス信号の有無に基づいて校正処理を実行する。
【００６７】
図９は、本発明の一実施形態における校正部の第一の特定処理を説明する第一の図である。
校正部１２１は、最初に移動速度Ｖｘに対応する掛け率Ａ（図７の表右列）を特定するための「第一の特定処理」を行う。
校正部１２１は、まず所定のカーソル移動指示信号を送信してマウスカーソルを基準位置（０、０）に移動させておく。ここで校正部１２１が携帯端末装置２のマウスカーソルを基準位置（０、０）に移動させることは、画像表示装置１が、移動量掛け率情報を把握していない段階であっても可能である。例えば校正部１２１は、携帯端末装置２の表示部２１の解像度に対し十分に大きな移動量を送信すれば、マウスカーソルは表示部２１の端部（すなわち基準位置）に自然に収まることとなる。
【００６８】
次に、校正部１２１は移動速度Ｖｘを所定の最大移動速度に固定させた状態で、移動量Ｌｘを所定量ずつ増加させながら、カーソル移動指示信号及びクリック指示信号の送信を複数回繰り返す。ここで最大移動速度とは、ＨＩＤプロファイルにおいて一回の送信で送ることができる分割移動量Ｌｐの最大値に対応する移動速度である。以降の説明においては、例としてこの最大移動速度を３００とする。
【００６９】
まず図９（ａ）では、校正部１２１が移動量“Ｌｘ＝１００”、移動速度“Ｖｘ＝３００”（最大移動速度）でカーソル移動指示信号を送信している。携帯端末装置２は、当該カーソル移動指示信号を受信して、受信した内容（移動量“Ｌｘ＝１００”、移動速度“Ｖｘ＝３００”）に基づいてマウスカーソルを移動させる。この時点で、画像表示装置１は、携帯端末装置２における掛け率Ａが不明であるため、携帯端末装置２において移動したマウスカーソルの位置が、基準位置から実際にどの程度移動したかは把握できない。
【００７０】
校正部１２１は、続いてクリック指示信号を送信する。携帯端末装置２は、当該クリック指示信号を受信すると、マウスを利用したクリック操作を受け付けた場合の処理を実行する。ここで、携帯端末装置２におけるマウスカーソルは、図９（ａ）に示す通り非応答領域２１０に属しているので、当該クリック指示信号に対して所定のレスポンス信号を送信しない。画像表示装置１は所定の期間当該レスポンス信号を受信しないことを検知して、マウスカーソルが応答領域２１１（すなわち表示部２１の端部）に到達していないことを把握する。
【００７１】
次に校正部１２１は、一旦マウスカーソルの位置を基準位置に戻すカーソル移動指示信号を送信する。そして校正部１２１はマウスカーソルを基準位置に戻した後、移動速度Ｖｘを“３００”に固定したまま、移動量Ｌｘを前回よりも増加させ、“Ｌｘ＝１０１”として再度カーソル移動指示信号を送信する。携帯端末装置２は、当該カーソル移動指示信号を受信してマウスカーソルを移動させる。そして校正部１２１は、続いて送信したクリック指示信号に対し所定の期間レスポンス信号がないことを検知すると、移動量Ｌｘをさらに増加させながら同様の処理を繰り返す。
【００７２】
校正部１２１が、移動量Ｌｘを増加させながらカーソル移動指示信号を送信する処理を複数回繰り返した後の状態を図９（ｂ）に示す。図９（ｂ）では、校正部１２１が移動量“Ｌｘ＝２９０”、移動速度“Ｖｘ＝３００”でカーソル移動指示信号を送信している。携帯端末装置２は、当該カーソル移動指示信号を受信して、受信した内容（移動量“Ｌｘ＝２９０”、移動速度“Ｖｘ＝３００”）に基づいてマウスカーソルを移動させる。
【００７３】
校正部１２１は、続いてクリック指示信号を送信する。携帯端末装置２は、当該クリック指示信号を受信すると、マウスを利用したクリック操作を受け付けた場合の処理を実行する。ここで、携帯端末装置２におけるマウスカーソルは、図９（ｂ）に示す通り応答領域２１１に到達しているので、携帯端末装置２は当該クリック操作に対して所定のレスポンス信号を送信する。画像表示装置１はこの結果を受けて、マウスカーソルが応答領域２１１に到達したことを把握する。
【００７４】
図９（ｂ）は、携帯端末装置２が、移動量“Ｌｘ＝２９０”を受信して、移動速度“Ｖｘ＝３００”で適用される掛け率Ａを乗算し求めた値（実効移動量ＬＡ）だけマウスカーソルを動かした結果、マウスカーソルがちょうど表示部２１の画面左端まで移動した状態を示している。一方、画像表示装置１は、携帯端末装置２の表示部２１の解像度情報（画素数５８０×３５０）については、ＨＤＭＩケーブル３及び有線通信部１４を介して予め取得している。したがって校正部１２１は、移動量“Ｌｘ＝２９０”、移動速度“Ｖｘ＝３００”を送信した結果、マウスカーソルが表示部２１の画面左端に到達したことを受け、携帯端末装置２において最大移動速度“Ｖｘ＝３００”に適用される掛け率Ａは“２”（５８０÷２９０）であると特定することができる。
以上のとおり、校正部１２１は「第一の特定処理」の過程において、レスポンス信号を受信した場合には、当該レスポンス信号を受信した時点における移動量Ｌに基づいて掛け率Ａを特定する。
【００７５】
なお第一の特定処理の具体的内容は、上述した処理に限定されるものではない。上述した例では、校正部１２１は移動量Ｌｘを最初から１ずつ増加させているが、他の実施形態ではこの態様に限らない。例えば校正部１２１は、移動量Ｌｘをまず１００ずつ増加させて画面左端に到達する移動量Ｌｘに当たりをつけ、画面左端に到達した段階から徐々に移動量Ｌを減らして絞り込みを行うという処理を行ってもよい。このようにすることで、校正部１２１が行う第一の特定処理に要する繰り返し回数が低減し、結果として校正処理全体の速度を向上させることができる。また、校正部１２１が最大移動速度とする値は、携帯端末装置２の一般的な仕様を考慮して十分に大きいと認められる値から当たりをつけて決定してもよい。
また校正部１２１は、移動量Ｌｘを、十分に大きい値から順に減少させながらカーソル移動指示信号を送信し、携帯端末装置２からのレスポンス信号が受信できる状態から、当該レスポンス信号を最初に受信できなくなった際の移動量Ｌｘを参照して、掛け率Ａを特定してもよい。
【００７６】
図１０は、本発明の一実施形態における校正部の処理の経過を示す第一の図である。
校正部１２１は、上述した一回目の第一の特定処理の結果、最大移動速度“Ｖｘ＝３００”に対応する掛け率Ａが“２”であることを特定する（図１０）。
【００７７】
図１１は、本発明の一実施形態における校正部の第二の特定処理を説明する図である。
続いて校正部１２１は、求めた掛け率Ａについて“２”が適用される移動速度Ｖｘの範囲（下限）を求める。校正部１２１は、第一の特定処理にて特定した掛け率Ａが適用される移動速度の範囲を特定するための「第二の特定処理」を行う。
具体的には、校正部１２１は移動量Ｌｘを、第一の特定処理にて画面左端に到達した際の移動量に固定させた状態で、移動速度Ｖｘを所定量ずつ減少させながら、カーソル移動指示信号及びクリック指示信号の送信を複数回繰り返す。
【００７８】
まず図１１（ａ）では、校正部１２１が移動量“Ｌｘ＝２９０”、移動速度“Ｖｘ＝２９９”でカーソル移動指示信号を送信する。ここで校正部１２１は、移動速度Ｖｘを、第一の特定処理で固定していた値３００から１だけ減じて“Ｖｘ＝２９９”としている。携帯端末装置２は、当該カーソル移動指示信号を受信して、受信した内容（移動量“Ｌｘ＝２９０”、移動速度“Ｖｘ＝２９９”）に基づいてマウスカーソルを移動させる。
【００７９】
校正部１２１は、続いてクリック指示信号を送信する。ここで、携帯端末装置２におけるマウスカーソルは、図１１（ａ）に示す通り応答領域２１１に属しているので、携帯端末装置２は、当該クリック指示信号に対して所定のレスポンス信号を送信する。画像表示装置１は、移動速度を３００から１だけ減じて“Ｖｘ＝２９９”としても、掛け率Ａは依然として“２”が適用されていることを把握する。
【００８０】
次に校正部１２１は、一旦マウスカーソルを基準位置に戻した後、移動量Ｌｘを“２９０”に固定したまま、移動速度Ｖｘを前回よりもさらに減少させ、“Ｖｘ＝２９８”として再度カーソル移動指示信号を送信する。携帯端末装置２は、当該カーソル移動指示信号を受信してマウスカーソルを移動させる。そして校正部１２１は、続いて送信したクリック指示信号に応答すべきレスポンス信号を引き続き受信すると、移動速度Ｖｘをさらに減少させながら同様の処理を繰り返す。
【００８１】
校正部１２１が、移動速度Ｖｘを減少させながらカーソル移動指示信号を送信する処理を複数回繰り返した後の状態を図１１（ｂ）に示す。図１１（ｂ）では、校正部１２１が移動量“Ｌｘ＝２９０”、移動速度“Ｖｘ＝２４９”でカーソル移動指示信号を送信している。携帯端末装置２は、当該カーソル移動指示信号を受信して、受信した内容（移動量“Ｌｘ＝２９０”、移動速度“Ｖｘ＝２４９”）に基づいてマウスカーソルを移動させる。
【００８２】
校正部１２１は、続いてクリック指示信号を送信する。ここで、携帯端末装置２におけるマウスカーソルは、図１１（ｂ）に示す通り応答領域２１１を外れ、非応答領域２１０に属しているので、携帯端末装置２は当該クリック指示信号に対して所定のレスポンス信号を送信しない。画像表示装置１はこの結果を受けて、マウスカーソルが応答領域２１１を外れたことを把握する。すなわちこの結果は、移動速度Ｖｘを“３００”から“２４９”まで減らして初めて、移動量“Ｌｘ＝２９０”に対する掛け率Ａに“２”が適用されなくなったことを示している。
【００８３】
図１２は、本発明の一実施形態における校正部の処理の経過を示す第二の図である。
校正部１２１は、以上に説明した一回目の第二の特定処理の結果、掛け率Ａとして“２”が適用されなくなった移動速度Ｖｘが“２４９”であったことを受け、掛け率Ａとして“２”が適用される移動速度Ｖｘの下限が“２４９”の一つ前の“２５０”であることを特定する（図１２）。
なお以上に説明した処理において、校正部１２１は、移動速度Ｖｘを徐々に減じながら、携帯端末装置２からのレスポンス信号を受信しなくなったことを検知して、掛け率Ａに“２”が適用される移動速度Ｖｘの下限を特定した。しかし本実施形態の校正部１２１における上記処理はこの態様に限定されるものではない。すなわち校正部１２１は、移動速度Ｖｘを、例えば“１”から順に増加させながらカーソル移動指示信号を送信し、携帯端末装置２からのレスポンス信号を受信できない状態から、当該レスポンス信号を最初に受信できた状態に移行した際の移動速度Ｖｘを参照して、掛け率Ａに“２”が適用される移動速度Ｖｘの下限を特定してもよい。
【００８４】
図１３は、本発明の一実施形態における校正部の第一の特定処理を説明する第二の図である。
続いて校正部１２１は、次の移動速度Ｖｘ（２４９の移動速度Ｖｘ）について適用される掛け率Ａを求める。校正部１２１は、最初に移動速度“Ｖｘ＝２４９”に対応する掛け率Ａを特定するための二回目の「第一の特定処理」を行う。
【００８５】
校正部１２１は先の第二の特定処理において、移動速度Ｖｘを“２４９”としたときに、掛け率Ａについて“２”が適用されなくなり、マウスカーソルが応答領域２１１（表示部２１の画面左端）に到達しなくなったことを把握している。また校正部１２１は、このマウスカーソルが応答領域２１１に到達しなくなったときの移動量Ｌｘが“２９０”であることを把握している。したがって校正部１２１は、移動速度Ｖｘを“２４９”に固定させた状態で、移動量Ｌｘを“２９０”から所定量ずつ増加させながら、カーソル移動指示信号及びクリック指示信号の送信を複数回繰り返す。
【００８６】
まず図１３（ａ）では、校正部１２１が移動量“Ｌｘ＝２９１”、移動速度“Ｖｘ＝２４９”でカーソル移動指示信号を送信している。携帯端末装置２は、当該カーソル移動指示信号を受信して、受信した内容（移動量“Ｌｘ＝２９１”、移動速度“Ｖｘ＝２４９”）に基づいてマウスカーソルを移動させる。この時点で、画像表示装置１は、携帯端末装置２におけるマウスカーソルの位置が、基準位置から実際にどの程度移動したかは把握できない。
【００８７】
校正部１２１は、続いてクリック指示信号を送信する。携帯端末装置２は、当該クリック指示信号を受信すると、マウスを利用したクリック操作を受け付けた場合の処理を実行する。ここで、携帯端末装置２におけるマウスカーソルは、図１３（ａ）に示す通り非応答領域２１０に属しているので、携帯端末装置２は、当該クリック操作に対して所定のレスポンス信号を送信しない。画像表示装置１はこの結果を受けて、マウスカーソルが応答領域２１１（すなわち表示部２１の端部）に到達していないことを把握する。
【００８８】
次に校正部１２１はマウスカーソルを基準位置に戻した後、移動速度Ｖｘを“２４９”に固定したまま、移動量Ｌｘを前回よりも増加させ、“Ｌｘ＝２９２”として再度カーソル移動指示信号を送信する。携帯端末装置２は、当該カーソル移動指示信号を受信してマウスカーソルを移動させる。そして校正部１２１は、続いて送信したクリック指示信号に応答すべきレスポンス信号がないと判断すると、移動量Ｌｘをさらに増加させながら同様の処理を繰り返す。
【００８９】
校正部１２１が、移動量Ｌｘを増加させながらカーソル移動指示信号を送信する処理を複数回繰り返した後の状態を図１３（ｂ）に示す。図１３（ｂ）では、校正部１２１が移動量“Ｌｘ＝３１０”、移動速度“Ｖｘ＝２４９”でカーソル移動指示信号を送信している。携帯端末装置２は、当該カーソル移動指示信号を受信して、受信した内容（移動量“Ｌｘ＝３１０”、移動速度“Ｖｘ＝２４９”）に基づいてマウスカーソルを移動させる。
【００９０】
校正部１２１は、続いてクリック指示信号を送信する。ここで、携帯端末装置２におけるマウスカーソルは、図１３（ｂ）に示す通り応答領域２１１に到達しているので、携帯端末装置２は当該クリック指示信号に対して所定のレスポンス信号を送信する。画像表示装置１はこの結果を受けて、マウスカーソルが応答領域２１１に到達したことを把握する。
【００９１】
校正部１２１は、移動量“Ｌｘ＝３１０”を送信してマウスカーソルが表示部２１の画面左端に到達したことを受けて、移動速度“Ｖｘ＝２４９”に対する掛け率Ａは“１．８７”（５８０÷３１０）であると特定することができる。
【００９２】
図１４は、本発明の一実施形態における校正部の処理の経過を示す第三の図である。
校正部１２１は、二回目の「第一の特定処理」の結果、移動速度“Ｖｘ＝２４９”に対応する掛け率Ａが“１．８７”であることを特定する（図１４）。続いて校正部１２１は、二回目の「第二の特定処理」を実行し、掛け率Ａについて“１．８７”が適用される移動速度Ｖｘの範囲（下限）を求める。
【００９３】
以降、校正部１２１は、図９から図１４で説明した「第一の特定処理」及び「第二の特定処理」の内容を繰り返して実行し、携帯端末装置２にて設定されていた移動量掛け率情報テーブルの内容を全て特定する。なお、以上の説明は全てＸ軸方向についての移動量掛け率情報を特定する処理手続であったが、校正部１２１は、同様の処理手続に従って、Ｙ軸方向についての移動量掛け率情報を特定する。
【００９４】
図１５及び図１６は、本発明の一実施形態における校正部及び携帯端末装置の処理フローを示す第一の図及び第二の図である。
以上に説明した画像表示装置１の校正部１２１及び携帯端末装置２の処理フローを、図１５及び図１６を参照して順を追って説明する。図１５及び図１６は、画像表示装置１に携帯端末装置２が有線接続されてからの処理フローを示している。
【００９５】
まず画像表示装置１は、携帯端末装置２から所定の接続信号を、有線通信部１４を介して受信すると、携帯端末装置２との有線通信、無線通信を確立する（ステップＳ１０）。画像表示装置１はこの段階で携帯端末装置２に関する情報、特に表示部２１の縦横比、解像度情報などを取得しておく。次に、校正部１２１が無線通信部１３を介して携帯端末装置２に向けて所定の校正用アプリケーション起動指示信号を送信する（ステップＳ１１）。携帯端末装置２の制御部２２は、当該校正用アプリケーション起動指示信号を受信すると、校正用アプリケーションプログラムを読み込んで起動させる（ステップＳ１２）。携帯端末装置２の制御部２２は、当該校正用アプリケーション機能の起動を完了すると、その旨を通知する（ステップＳ１３）。
【００９６】
校正部１２１は、当該校正用アプリケーション機能の起動完了通知を受けると校正処理を開始する。まず校正部１２１は「第一の特定処理」を開始する（ステップＳ１４）。校正部１２１は、所定の値に設定したカーソル移動指示信号及びクリック指示信号を送信する（ステップＳ１５）。ここで校正部１２１は、カーソル移動指示信号のうち移動速度Ｖを最大移動速度（例えばＶ＝３００）に設定しておく。
【００９７】
携帯端末装置２は、当該カーソル移動指示信号を受信すると、当該カーソル移動指示信号に基づいてマウスカーソルを移動させ、続いて受信するクリック指示信号に基づいてマウスのクリック操作を実行する（ステップＳ１６）。しかし、移動したマウスカーソルの位置が非応答領域２１０に属している場合、携帯端末装置２は所定のレスポンス信号を送信しない（ステップＳ１７（図９（ａ）に示す状態））。なお携帯端末装置２はステップＳ１７にて、マウスカーソルの位置が非応答領域２１０に属していることを通知する信号を別途送信してもよい。
【００９８】
校正部１２１は、クリック指示信号を送信後に携帯端末装置２から所定の期間レスポンス信号がないことを検知すると、携帯端末装置２におけるマウスカーソルを基準位置へ戻すためのカーソル移動指示信号を送信する（ステップＳ１８）。携帯端末装置２は、ステップＳ１８において送信されたカーソル移動指示信号を受信すると、当該カーソル移動指示信号に基づいてマウスカーソルを基準位置まで移動させる（ステップＳ１９）。一方、校正部１２１は、携帯端末装置２から所定のレスポンス信号がないことを受け、カーソル移動指示信号における移動速度Ｖを固定させた状態で移動量Ｌを増加させ（ステップＳ２０）、携帯端末装置２から所定のレスポンス信号を受信するまでステップＳ１５〜ステップＳ２０の処理を繰り返す。
【００９９】
携帯端末装置２は、マウスカーソルが応答領域２１１に到達した段階でクリック指示信号を受信すると、レスポンス信号を通知する（ステップＳ２１（図９（ｂ）に示す状態））。校正部１２１は、当該レスポンス信号を受信すると、携帯端末装置２にて定められている移動量掛け率情報テーブルの掛け率Ａを特定して、第一の特定処理を終了する（ステップＳ２２）。
【０１００】
続いて画像表示装置１の校正部１２１は、「第二の特定処理」を開始する（図１６のステップＳ２３）。校正部１２１は、第二の特定処理において、まず、第一の特定処理に基づいたカーソル移動指示信号及びクリック指示信号を送信する（ステップＳ２４）。校正部１２１は、カーソル移動指示信号のうち移動量Ｌを、第一の特定処理において最初にレスポンス信号を受信したときの値に設定しておく。また校正部１２１は、移動速度Ｖを、第一の特定処理において最初にレスポンス信号を受信したときの値から下げて設定する。
【０１０１】
携帯端末装置２は、当該カーソル移動指示信号を受信すると、当該カーソル移動指示信号に基づいてマウスカーソルを移動させ、続いて受信するクリック指示信号に基づいてマウスのクリック操作を実行する（ステップＳ２５）。しかし移動速度Ｖを下げても、移動したマウスカーソルの位置が未だ応答領域２１１に属している場合は、携帯端末装置２は所定のレスポンス信号を送信する（ステップＳ２６（図１１（ａ）に示す状態））。
【０１０２】
校正部１２１は、携帯端末装置２からのレスポンス信号があることを検知すると、携帯端末装置２におけるマウスカーソルを基準位置へ戻すためのカーソル移動指示信号を送信する（ステップＳ２７）。携帯端末装置２は、ステップＳ２７において送信されたカーソル移動指示信号を受信すると、当該カーソル移動指示信号に基づいてマウスカーソルを基準位置まで移動させる（ステップＳ２８）。一方、校正部１２１は、携帯端末装置２からレスポンス信号があったことを受け、カーソル移動指示信号における移動量Ｌを固定させた状態で移動速度Ｖを減少させ（ステップＳ２９）、携帯端末装置２から所定のレスポンス信号の受信がなくなるまでステップＳ２４〜ステップＳ２９の処理を繰り返す。
【０１０３】
携帯端末装置２は、マウスカーソルが応答領域２１１から外れた段階でクリック指示信号を受信すると、レスポンス信号を通知しない（ステップＳ３０（図１１（ｂ）に示す状態））。校正部１２１は、当該レスポンス信号の受信がなかったことを検知して、第一の特定処理で特定した掛け率Ａが適用される移動速度Ｖの下限を特定して、第二の特定処理を終了する（ステップＳ３１）。そして、一回目の「第一の特定処理」及び「第二の特定処理」を完了すると、校正部１２１は次の段階の掛け率Ａ及びその掛け率Ａが適用される移動速度Ｖの範囲を特定すべく、二回目の「第一の特定処理」を開始する（ステップＳ３２）。
【０１０４】
図１７は、本発明の一実施形態におけるカーソル操作情報生成部の動作を具体的に説明する図である。
次に、校正部１２１が上述した処理で特定した移動量掛け率情報に基づいて、カーソル操作情報生成部１２０が行う処理の例を説明する。まず、携帯端末装置２の表示部２１における解像度が６００×４００であり、表示部２１の縦横比に応じた画像表示装置１の表示部１１における解像度が９００×６００であったとする（図１７）。校正部１２１は既に校正処理を完了しているものとする。
【０１０５】
ここでタッチパネル１０が表示部１１上の座標（３００、０）にタッチ操作を検出したとする（図１７右）。するとカーソル操作情報生成部１２０は、携帯端末装置２の表示部２１上で、当該タッチ検出箇所に対応する位置をクリックさせるためのカーソル移動指示信号を生成する。具体的には、カーソル操作情報生成部１２０は、表示部１１と表示部２１の縮尺である解像度比Ｐ（６００／９００＝２／３）を考慮して、表示部１１上の座標（３００、０）に、当該解像度比Ｐ（２／３）を乗じた値（２００、０）だけマウスカーソルを基準位置（０、０）から移動させればよい。
【０１０６】
そこでカーソル操作情報生成部１２０は、さらに移動速度Ｖｘに応じた移動量Ｌｘへの掛け率Ａを考慮して移動量Ｌｘを決定する。すなわち、カーソル操作情報生成部１２０は、自画像表示装置へのタッチ操作を即座に携帯端末装置２に反映させる必要があるため、携帯端末装置２におけるマウスカーソルを最速で座標（２００、０）に移動させるようにカーソル移動指示信号を生成する。すなわちカーソル操作情報生成部１２０は、移動速度Ｖｘを最大移動速度（例えば“３００”）と設定する。
【０１０７】
そしてカーソル操作情報生成部１２０は、校正部１２１が取得した移動量掛け率情報テーブルを参照し、当該最大移動速度に対応する掛け率Ａ（例えば“２”）を取得する。そしてカーソル操作情報生成部１２０は、マウスカーソルを２００だけ移動させるように（実効移動量ＬＡが２００となるように）掛け率“Ａ＝２”を考慮して移動量Ｌｘを“１００”に設定する。
【０１０８】
以上より、カーソル操作情報生成部１２０が生成したカーソル移動指示信号の内容は、移動量“Ｌｘ＝１００”、移動速度“Ｖｘ＝３００”となる。携帯端末装置２は、カーソル移動指示信号を受信するとその内容に基づいて、基準位置（０、０）からマウスカーソルを移動させる。携帯端末装置２は、移動速度“Ｖｘ＝３００”に基づいて、移動量“Ｌｘ＝１００”に掛け率“２”を乗じて、実効移動量“ＬＡｘ＝２００”に基づいてマウスカーソルをＸ軸方向に２００移動させる（図１７左）。
【０１０９】
すなわちカーソル操作情報生成部１２０は、生成すべきカーソル移動指示信号の移動量を、式（１）に基づいて決定する。
【０１１０】
【数１】
0005871080.tif 000002
【０１１１】
式（１）において、タッチ位置（Ｘ）とは、画像表示装置１のタッチパネル１０が検出したタッチ位置（Ｘ座標の値）である。図１７の例ではＸ＝３００となる。また、両表示部の解像度比（Ｐ）とは、画像表示装置１の表示部１１に表示されている画像と携帯端末装置２の表示部２１に表示されている画像の解像度比である。図１７の例では、携帯端末装置２の表示部２１における解像度が６００×４００であり、表示部２１の縦横比に応じた画像表示装置１の表示部１１における解像度が９００×６００であるから、Ｐ＝２／３である。そして、適用される掛け率（Ａ）とは、カーソル操作情報生成部１２０が送信しようとする移動速度Ｖｘに応じた掛け率Ａである。カーソル操作情報生成部１２０は、校正部１２１が予め取得している移動量掛け率情報テーブルを参照して当該掛け率Ａを取得する。図１７に示す例では、移動速度Ｖｘが最大移動速度である“３００”であるから、掛け率Ａには“２”が適用される。
【０１１２】
カーソル操作情報生成部１２０は、以上の値を式（１）に当てはめて移動量Ｌｘを得る。図１７に示す例では、カーソル操作情報生成部１２０は移動量Ｌｘとして“１００”を得る。
【０１１３】
なお、ユーザが画像表示装置１に対しドラッグ操作を行った場合であっても、カーソル操作情報生成部１２０は、移動量掛け率情報テーブルを参照することで、タッチ操作の場合と同様に処理することができる。すなわちカーソル操作情報生成部１２０は、ドラッグ操作においてユーザが滑らせる指の速さに応じて様々な移動速度Ｖｘを設定することとなるが、その都度、移動量掛け率情報テーブルから適用される掛け率Ａを取得して、式（１）に当てはめればよい。
【０１１４】
以上説明した本実施形態の画像表示装置では、画像表示装置１から遠隔操作するための専用のアプリケーションプログラムを必要とせずに、画像表示装置１から携帯端末装置２を操作することが可能となり、また、操作性が向上する効果が得られる。なお画像表示装置１は校正処理のため、携帯端末装置２に校正用のアプリケーションプログラムをインストールする必要があるものの、当該校正用アプリケーションプログラムは校正処理の完了以降では動作しないため、画像表示装置１の操作性に影響を与えることはない。
【０１１５】
また、画像表示装置１が校正部１２１を備えており、画像表示装置１は、自動的な校正処理を実施する。このようにすることで、画像表示装置１は連携する携帯端末装置２の機種やユーザ設定、マウスの加速の違い等に関わらずユーザが意図した操作を携帯端末装置２へ反映させることができる。
【０１１６】
なお本実施形態における画像表示装置１は、上述したカーナビゲーションシステムとして用いられる態様に限定されるものではない。例えば画像表示装置１は、携帯端末装置２よりも大きい表示部を有する大画面テレビや、パソコン用ディスプレイ、タブレット型端末装置であって、携帯端末装置２のアプリケーション機能に基づく所定の情報処理システム（カーナビゲーションシステムの他、動画再生機やゲーム機等）として機能してもよい。一方、携帯端末装置２は、一般的なスマートフォンとして説明したが、本実施形態における携帯端末装置２は、例えば、スマートフォンよりも大きいサイズのタブレット型端末装置などであっても構わない。
【０１１７】
なお、上述の画像表示装置１及び携帯端末装置２は、内部にコンピュータシステムを有している。そして、上述した画像表示装置１及び携帯端末装置２の各処理の過程は、プログラムの形式でコンピュータ読み取り可能な記録媒体に記憶されており、このプログラムをコンピュータが読み出して実行し、上記処理が行われる。ここで、コンピュータ読み取り可能な記録媒体とは、磁気ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）または半導体メモリ等をいう。また、このコンピュータプログラムを通信回線経由でコンピュータに配信し、この配信を受けたコンピュータが当該プログラムを実行するようにしても良い。
【０１１８】
以上、実施形態を用いて本発明を説明したが、本発明の技術的範囲は、上述した実施形態に記載の範囲に限定されるものではない。上記実施形態に多様な変更又は改良を加えることが可能であることが、当業者に明らかである。その様な変更又は改良を加えた形態も本発明の技術的範囲に含まれ得ることが、請求の範囲の記載から明らかである。
【０１１９】
この出願は、２０１２年１２月２１日に出願された日本出願特願２０１２−２７９６２２号を基礎とする優先権を主張し、その開示の全てをここに取り込む。
【産業上の利用可能性】
【０１２０】
本発明は、例えば、スマートフォン等の携帯端末装置を遠隔操作する用途に利用可能である。本発明を適用することで、遠隔操作用の専用のアプリケーションプログラムを必要とせずに、携帯端末装置を遠隔操作することが可能となり、また、操作性が向上する。
【符号の説明】
【０１２１】
１・・・画像表示装置
１０、２０・・・タッチパネル
１００・・・タッチ検出部
１１、２１・・・表示部
２１０・・・非応答領域
２１１・・・応答領域
１２、２２・・・制御部
１２０・・・カーソル操作情報生成部
１２１・・・校正部
１３、２３・・・無線通信部
１３０・・・カーソル操作情報送信部
１４、２４・・・有線通信部
３・・・ＨＤＭＩケーブル
【図１】
0005871080.tif 000003
【図２】
0005871080.tif 000004
【図３】
0005871080.tif 000005
【図４】
0005871080.tif 000006
【図５】
0005871080.tif 000007
【図６Ａ】
0005871080.tif 000008
【図６Ｂ】
0005871080.tif 000009
【図７】
0005871080.tif 000010
【図８】
0005871080.tif 000011
【図９】
0005871080.tif 000012
【図１０】
0005871080.tif 000013
【図１１】
0005871080.tif 000014
【図１２】
0005871080.tif 000015
【図１３】
0005871080.tif 000016
【図１４】
0005871080.tif 000017
【図１５】
0005871080.tif 000018
【図１６】
0005871080.tif 000019
【図１７】
0005871080.tif 000020